(57)【要約】  ユーザの使用時には容器が外れ難く、容器の着脱は容易に行える簡易な構成の冷蔵庫を得る。容器と、引掛け部と、傾斜保持部と、を備え、引掛け部は、貯蔵室内の側壁から内側に突出した凸部と、容器の側壁から外側に突出すると共に凸部に引っ掛かるフック部と、を有し、傾斜保持部は、貯蔵室内の側壁から内側に突出した直線状の第１レール部と、容器の側壁から外側に突出すると共にフック部を凸部に引っ掛けた際に引掛け部を回動中心として容器が傾いた傾斜状態で第１レール部の下面に当接する、前方よりも後方が下方に傾斜した傾斜面部と、を有する。
2017068641.tif 000002
【特許請求の範囲】
【請求項１】
貯蔵室内に配置されて前方へ引き出し可能な容器と、
前記容器を停止位置まで引き出した際に、前記容器を引っ掛ける引掛け部と、
前記引掛け部に引っ掛けた前記容器を基準の姿勢よりも前方を下方に傾けた傾斜状態で保持する傾斜保持部と、
を備え、
前記引掛け部は、前記貯蔵室内の側壁から内側に突出した凸部と、前記容器の側壁から外側に突出すると共に前記凸部に引っ掛かるフック部と、を有し、
前記傾斜保持部は、前記貯蔵室内の側壁から内側に突出した直線状の第１レール部と、前記容器の側壁から外側に突出すると共に前記フック部を前記凸部に引っ掛けた際に前記引掛け部を回動中心として前記容器が傾いた前記傾斜状態で前記第１レール部の下面に当接する、前方よりも後方が下方に傾斜した傾斜面部と、を有する冷蔵庫。
【請求項２】
前記凸部は、円弧形状の外周部を含み、
前記フック部は、前記凸部の円弧形状の外周部と接触する円弧形状の内周部を含む請求項１に記載の冷蔵庫。
【請求項３】
前記フック部は、前記凸部の周囲において上端を０度と定義すると少なくとも０度〜後方側９０度の範囲に円弧形状の内周部を含む請求項２に記載の冷蔵庫。
【請求項４】
前記フック部は、前記内周部を含む部分の周りの外周部に前方よりも後方が上方に傾斜した後方傾斜面部を含む請求項３に記載の冷蔵庫。
【請求項５】
前記容器の側壁から外側に突出すると共に前記容器を最終収納位置まで収納した際に前記凸部に当接する当接部を有する請求項１〜４のいずれか１項に記載の冷蔵庫。
【請求項６】
前記容器の側壁から外側に突出すると共に前記フック部と前記当接部とを直線状につないで前記凸部にガイドされる直線部を有する請求項５に記載の冷蔵庫。
【請求項７】
前記貯蔵室内の側壁から内側に突出すると共に前記第１レール部の下方に並列する直線状の第２レール部と、前記容器の側壁から外側に突出すると共に前記容器の移動に伴い前記第１レール部と前記第２レール部との間に挟まってガイドされるブロック部と、を有する請求項１〜６のいずれか１項に記載の冷蔵庫。
【請求項８】
前記傾斜面部は、前記ブロック部の後端に形成された請求項７に記載の冷蔵庫。
【請求項９】
前記容器の側壁には、前記ブロック部と前記傾斜面部との間に、前記容器を停止位置まで引き出して更に前記容器を持ち上げて前記フック部に前記凸部を乗り越えさせた後に前記凸部を上方に通過させる空間部が形成された請求項７に記載の冷蔵庫。
【発明の詳細な説明】
【技術分野】
【０００１】
本発明は、貯蔵室内に前方を下方に傾けた傾斜状態で引き出せる容器を備えた冷蔵庫に関するものである。
【背景技術】
【０００２】
従来の冷蔵庫では、冷蔵室上部に備えた引き出し容器は、冷蔵庫内の壁面が上面にあり、容器を引き出しても充分な開口面積を確保できない。【０００３】
そこで、たとえば、特許文献１、特許文献２に開示されるように、引き出し容器の前面が下方に傾斜することで引き出し容器内に収納した食品の確認または取り出し作業を容易にした冷蔵庫がある。【０００４】
特許文献１には、冷蔵室内の側壁に容器をガイドする側壁レール部と、容器側には側壁レール部を挟み込む２本の容器レール部と、を備えた冷蔵庫が開示されている。
特許文献１の技術では、容器レール部の端部に引き出し容器を引き出した際に前方を下方に傾けた傾斜状態を保持する引掛け形状を設けることで、引き出し容器内の収納食品の出し入れを行うスペースが広がり、食品を容易に出し入れできる。【０００５】
また、特許文献２には、引き出し容器の側壁と冷蔵室内の側壁とのそれぞれに凸形状およびレール部を備え、引き出し容器を前方に引き出すと徐々に容器前方が下がることで、引き出し容器の食品開示スペースを広げている冷蔵庫が開示されている。
【先行技術文献】
【特許文献】
【０００６】
【特許文献１】特開２００７−４６８０７号公報
【特許文献２】特開２０１０−３８４９９号公報
【発明の概要】
【発明が解決しようとする課題】
【０００７】
しかしながら、特許文献１の技術では、引き出し容器の固定を容器レール部の端部のみで行っているため、引き出し容器を傾斜状態にした際に容器前方の傾きを変えると引き出し容器の引掛け形状が冷蔵室内の側壁に設けた側壁レール部の引掛け形状を乗り越えてしまうおそれがある。そのため、ユーザが引き出し容器を引き出す際に引き出し容器が外れてしまう課題があった。【０００８】
また、特許文献２の技術では、引き出し容器が簡単に外れないように引き出し容器と冷蔵室内の側壁とに凸形状とそれに対応したレール部をそれぞれ備えている。しかし、この構成は、構造が複雑になり、引き出し容器の着脱に手間がかかり、また形状が複雑化されるため成形性が悪くなる課題があった。【０００９】
本発明は、上記課題を解決するためのものであり、ユーザの使用時には容器が外れ難く、容器の着脱は容易に行える簡易な構成の冷蔵庫を得ることにある。
【課題を解決するための手段】
【００１０】
本発明に係る冷蔵庫は、貯蔵室内に配置されて前方側へ引き出し可能な容器と、前記容器を停止位置まで引き出した際に、前記容器を引っ掛ける引掛け部と、前記引掛け部に引っ掛けた前記容器を基準の姿勢よりも前方を下方に傾けた傾斜状態で保持する傾斜保持部と、を備え、前記引掛け部は、前記貯蔵室内の側壁から内側に突出した凸部と、前記容器の側壁から外側に突出すると共に前記凸部に引っ掛かるフック部と、を有し、前記傾斜保持部は、前記貯蔵室内の側壁から内側に突出した直線状の第１レール部と、前記容器の側壁から外側に突出すると共に前記フック部を前記凸部に引っ掛けた際に前記引掛け部を回動中心として前記容器が傾いた前記傾斜状態で前記第１レール部の下面に当接する、前方よりも後方が下方に傾斜した傾斜面部と、を有するものである。
【発明の効果】
【００１１】
本発明に係る冷蔵庫によれば、引掛け部は、貯蔵室内の側壁から内側に突出した凸部と、容器の側壁から外側に突出すると共に凸部に引っ掛かるフック部と、を有し、傾斜保持部は、貯蔵室内の側壁から内側に突出した直線状の第１レール部と、容器の側壁から外側に突出すると共にフック部を凸部に引っ掛けた際に引掛け部を回動中心として容器が傾いた傾斜状態で第１レール部の下面に当接する、前方よりも後方が下方に傾斜した傾斜面部と、を有する。
このため、ユーザが使用する容器が傾いた傾斜状態では、フック部が凸部に引っ掛かり容器が外れ難い。また、容器の着脱のときには、フック部が凸部に引っ掛からなくするだけでよく、容器の着脱を容易に行える。
また、引き出した容器が傾いた傾斜状態は、引掛け部および傾斜保持部の構成で達成することができ、簡易な構成で容器を傾斜状態に保持することができる。
したがって、ユーザが使用するときには容器が外れ難く、容器の着脱は容易に行える簡易な構成の冷蔵庫を提供することができる。
【図面の簡単な説明】
【００１２】
【図１】本発明の実施の形態１に係る冷蔵庫を示す斜視図である。
【図２】本発明の実施の形態１に係る冷蔵庫の概略構成を示す説明図である。
【図３】本発明の実施の形態１に係る冷蔵庫の冷蔵室最上部空間に設けられた引き出し容器を示す正面図である。
【図４Ａ】本発明の実施の形態１に係る冷蔵庫の引き出し容器を引き出す前の収納状態を示す斜視図である。
【図４Ｂ】本発明の実施の形態１に係る冷蔵庫の引き出し容器を引き出した後の傾斜状態を示す斜視図である。
【図５Ａ】本発明の実施の形態１に係る冷蔵庫の引き出し容器の引き出す前の収納状態を示す説明図である。
【図５Ｂ】本発明の実施の形態１に係る冷蔵庫の引き出し容器を引き出したときの最大引出状態を示す説明図である。
【図５Ｃ】本発明の実施の形態１に係る冷蔵庫の引き出し容器を引き出した後の傾斜状態を示す説明図である。
【図６】本発明の実施の形態１に係る冷蔵庫の引き出し容器を取り外す動作状態を示す説明図である。
【図７Ａ】本発明の実施の形態２に係る冷蔵庫の引き出し容器の引き出す前の収納状態を示す説明図である。
【図７Ｂ】本発明の実施の形態２に係る冷蔵庫の引き出し容器を引き出したときの最大引出状態を示す説明図である。
【図７Ｃ】本発明の実施の形態２に係る冷蔵庫の引き出し容器を引き出した後の傾斜状態を示す説明図である。
【図８Ａ】本発明の実施の形態２に係る冷蔵庫の引き出し容器を第１方法で取り外す第１動作状態を示す説明図である。
【図８Ｂ】本発明の実施の形態２に係る冷蔵庫の引き出し容器を第１方法で取り外す第２動作状態を示す説明図である。
【図９Ａ】本発明の実施の形態２に係る冷蔵庫の引き出し容器を第２方法で取り外す第１動作状態を示す説明図である。
【図９Ｂ】本発明の実施の形態２に係る冷蔵庫の引き出し容器を第２方法で取り外す第２動作状態を示す説明図である。
【図９Ｃ】本発明の実施の形態２に係る冷蔵庫の引き出し容器を第２方法で取り外す第３動作状態を示す説明図である。
【図９Ｄ】本発明の実施の形態２に係る冷蔵庫の引き出し容器を第２方法で取り外す第４動作状態を示す説明図である。
【発明を実施するための形態】
【００１３】
以下、図面に基づいて本発明の実施の形態について説明する。
なお、各図において、同一の符号を付したものは、同一のまたはこれに相当するものであり、これは明細書の全文において共通している。
さらに、明細書全文に示されている構成要素の形態は、あくまで例示であってこれらの記載に限定されるものではない。
【００１４】
実施の形態１．
図１は、本発明の実施の形態１に係る冷蔵庫１００を示す斜視図である。
図１に示すように、冷蔵庫１００は、２ドア式であり、上部に冷凍室１を備え、下部に貯蔵室としての冷蔵室２を備えている。
【００１５】
図２は、本発明の実施の形態１に係る冷蔵庫１００の概略構成を示す説明図である。
図２に示すように、冷蔵庫１００は、冷蔵庫本体３の内箱内部に１つの仕切り４が設けられ、冷凍室１と、冷蔵室２と、を備え、ユーザの利用形態に合わせ温度帯の異なる２つの部屋に区切られている。
冷蔵庫本体３は、鋼板製の外箱と樹脂製の内箱との間に断熱材が発泡充填されている。
【００１６】
冷蔵庫本体３の背面下部には、冷媒を圧縮する図示しない圧縮機が設置される。冷凍室１の奥面には、図示しない冷却器が設置される。冷凍室１の冷却器の前面には、冷却器により冷却された冷気を各室へ送風する図示しない送風機を有する冷凍室風路が設置される。冷凍室風路は、冷凍室の図示しない吹出口に繋がっている。
冷蔵室２の奥面には、冷凍室風路から分岐した図示しない冷蔵室風路が設置される。冷蔵室風路は、冷蔵室の図示しない吹出口に繋がっている。
【００１７】
冷凍室１の前面には、冷凍室扉５が右側端部に回転軸を鉛直方向に延びるように有して開閉自在に取り付けられている。冷凍室扉５の内側には、２段のかご状の収納ケース６ａ、６ｂが設けられている。
また、冷凍室１内には、棚７が設けられている。
【００１８】
冷蔵室２の前面には、冷蔵室扉８が右側端部に回転軸を鉛直方向に延びるように有して開閉自在に取り付けられている。冷蔵室扉８の内側には、３段のかご状の収納ケース９ａ、９ｂ、９ｃが設けられている。
また、冷蔵室２内には、棚１０ａ、１０ｂが設けられている。
冷蔵室２内には、引き出し容器１１が最下部空間に配置されている。
さらに、冷蔵室２内には、引き出し容器１２が最上部空間に配置されている。
【００１９】
圧縮機により圧縮され、高温高圧となった冷媒ガスは、冷蔵庫本体３の断熱材が発泡充填された部分に設置された図示しない凝縮器により放熱され、液状冷媒となる。液状冷媒は、冷蔵庫本体３の背面下部に設置された図示しないドライヤを通り、図示しない毛細管により減圧され、冷却器に送られて気化する。この時、冷媒は、周囲の熱を吸熱するため、冷却器の周囲の気体が冷却される。
【００２０】
冷却器により冷却された冷気は、冷凍室１内の奥面であって冷却器の前面に設置された送風機を備えた冷凍室風路に流入する。冷凍室風路に流入した冷気は、冷凍室風路の前面に設けられた吹出口より冷凍室１内に流入する。
また、冷凍室風路から分流した冷気は、図示しない冷蔵室風路の前面に設けられた図示しない吹出口より冷蔵室２内に流入する。
【００２１】
図３は、本発明の実施の形態１に係る冷蔵庫１００の冷蔵室２の最上部空間に設けられた引き出し容器１２を示す正面図である。図４Ａは、本発明の実施の形態１に係る冷蔵庫１００の引き出し容器１２を引き出す前の収納状態を示す斜視図である。図４Ｂは、本発明の実施の形態１に係る冷蔵庫１００の引き出し容器１２を引き出した後の傾斜状態を示す斜視図である。
図３〜図４Ｂに示すように、冷蔵室２の最上部空間に配置される引き出し容器１２は、冷蔵室２内に配置されて前方へ引き出し可能な上部を開口した箱状である。
引き出し容器１２は、冷蔵庫１００内の仕切り４の壁面が上面にあり、引き出し容器１２を引き出しても充分な開口面積を確保できない。そのため、図４Ｂに示すように、引き出し容器１２は、引き出した後に開口面積を確保できるように傾斜状態に保持される。
ここで、冷蔵庫１００は、引き出し容器１２を引き出す方向が前方であり、引き出し容器１２を収納する奥側が後方である。
【００２２】
図５Ａは、本発明の実施の形態１に係る冷蔵庫１００の引き出し容器１２の引き出す前の収納状態を示す説明図である。図５Ｂは、本発明の実施の形態１に係る冷蔵庫１００の引き出し容器１２を引き出したときの最大引出状態を示す説明図である。図５Ｃは、本発明の実施の形態１に係る冷蔵庫１００の引き出し容器１２を引き出した後の傾斜状態を示す説明図である。
図５Ａ〜図５Ｃに示すように、冷蔵庫１００は、引掛け部２０と、傾斜保持部３０と、を備えている。
【００２３】
引掛け部２０は、引き出し容器１２を停止位置まで引き出した最大引出状態とした際に、引き出し容器１２を引っ掛けるものである。
引掛け部２０は、凸部２１と、フック部２２と、を有している。
凸部２１は、冷蔵室２内の側壁から内側に突出し、円弧形状の外周部を含んだ円形に形成されている。
【００２４】
フック部２２は、引き出し容器１２の側壁上部から外側に突出すると共に凸部２１に引っ掛かる。フック部２２は、凸部２１の円弧形状の外周部と接触する円弧形状の内周部２２ａを含んで形成されている。具体的には、フック部２２は、凸部２１の周囲において上端を０度と定義すると少なくとも０度〜後方側９０度の範囲に円弧形状の内周部２２ａを含み屈曲している。
【００２５】
そして、フック部２２は、少なくとも０度〜後方側９０度の範囲に円弧形状である内周部２２ａを含む部分の周りの外周部に、前方よりも後方が上方に傾斜した斜下方向を向く後方傾斜面部２２ｂを含んで形成されている。後方傾斜面部２２ｂは、内周部２２ａの後方に形成されている。
【００２６】
また、引き出し容器１２は、引き出し容器１２の側壁上部から外側に突出すると共に引き出し容器１２を最終収納位置まで収納した際に凸部２１に当接する当接部２３を有している。
当接部２３は、鉛直方向に延びる部材である。
さらに、引き出し容器１２は、引き出し容器１２の側壁上部から外側に突出すると共にフック部２２と当接部２３とを直線状につないで凸部２１に下面をガイドされる直線部２４を有している。
直線部２４が凸部２１にガイドされることにより、引き出し容器１２は、最終収納位置から停止位置まで水平に引き出される。
【００２７】
傾斜保持部３０は、引掛け部２０に引っ掛けた引き出し容器１２を基準の姿勢よりも前方を下方に傾けた傾斜状態で保持するものである。
傾斜保持部３０は、第１レール部３１と、傾斜面部３２と、を有している。
第１レール部３１は、冷蔵室２内の側壁から内側に突出した水平方向に延びる直線状である。
【００２８】
傾斜面部３２は、引き出し容器１２の側壁から外側に突出すると共にフック部２２を凸部２１に引っ掛けた際に引掛け部２０を回動中心として引き出し容器１２が傾いた傾斜状態で第１レール部３１の下面３１ａに当接するものである。傾斜面部３２は、前方よりも後方が下方に傾斜した斜上方向を向いた面部である。
【００２９】
そして、冷蔵庫１００は、冷蔵室２内の側壁から内側に突出すると共に第１レール部３１の下方に並列する水平方向に延びる直線状の第２レール部３３を有している。
また、引き出し容器１２は、引き出し容器１２の側壁から外側に突出すると共に引き出し容器１２の移動に伴い第１レール部３１と第２レール部３３との間に挟まってガイドされるブロック部３４を有している。
ブロック部３４は、第１レール部３１と第２レール部３３との間に挟まる幅の水平方向に延びる直線状のレール部材である。ブロック部３４は、引き出し容器１２の底部に沿って形成されている。
ブロック部３４が第１レール部３１と第２レール部３３との間に挟まってガイドされることにより、引き出し容器１２は、最終収納位置から停止位置まで水平に引き出される。
つまり、引き出し容器１２は、直線部２４が凸部２１にガイドされることと、ブロック部３４が第１レール部３１と第２レール部３３との間に挟まってガイドされることと、により、上下方向に離れた２箇所をガイドされて姿勢を傾けずに水平方向に引き出すことができる。
【００３０】
ブロック部３４の後端には、傾斜面部３２が形成されている。
傾斜面部３２は、前方よりも後方が下方に傾斜した角度を有し、この傾斜面部３２が第１レール部３１の下面３１ａに接触する角度がそのまま引き出し容器１２の傾斜状態の角度に反映される。このため、傾斜状態の角度は、傾斜面部３２の傾斜角度によって適宜設定することができる。
【００３１】
図５Ａに示すように、引き出し容器１２は、冷蔵室２内に収納される収納状態では、直線部２４の前方端部に形成されている当接部２３が凸部２１に接触することと、ブロック部３４が第１レール部３１と第２レール部３３との間に挟まってガイドされた状態であることと、により、冷蔵室２内の奥まで収納される。
【００３２】
図５Ｂに示すように、引き出し容器１２を引き出すと、引き出し容器１２は、直線部２４の下面が凸部２１にガイドされることと、ブロック部３４が第１レール部３１と第２レール部３３との間に挟まってガイドされることと、により、上下方向に離れた２箇所をガイドされて姿勢を傾けずに水平方向に引き出される。
そして、引き出し容器１２は、停止位置まで引き出されると、図５Ｂに示すように、フック部２２が凸部２１に引っ掛かる。このため、引き出し容器１２は、停止位置よりも前方には引き出せなくなる。このとき、ブロック部３４は、第１レール部３１と第２レール部３３との間に傾斜面部３２の一部を残している。
【００３３】
図５Ｃに示すように、引き出し容器１２が最大引出状態となった図５Ｂの状態から、引き出し容器１２は、自重で引き出し容器１２の前方を下げ始める。具体的には、引き出し容器１２は、引掛け部２０を回動中心として前方を後方よりも下方に回動させる。
【００３４】
このとき、引掛け部２０を構成する凸部２１とフック部２２とは、凸部２１の外周部が円弧形状であり、凸部２１に引っ掛かったフック部２２の内周部２２ａも円弧形状であることから、摺動抵抗の少ない状態で回動することができ、耐久性に優れる。
【００３５】
そして、一部が第１レール部３１と第２レール部３３との間に入ったままの状態であったブロック部３４に形成された傾斜面部３２は、引き出し容器１２の回動によって第１レール部３１の下面３１ａに接触する。
【００３６】
以上によって、引き出し容器１２の前方が下方に傾いた傾斜状態が達成される。
すなわち、引き出し容器１２の傾斜状態は、フック部２２が凸部２１に引っ掛かり、傾斜面部３２が第１レール部３１の下面３１ａに接触することで、その状態が保持できる。
このように、引掛け部２０および傾斜保持部３０を備えるだけで、引き出し容器１２または冷蔵室２内の形状を複雑にすることなく、簡易な構成で引き出し容器１２を傾斜状態で保持することができる。
【００３７】
図６は、本発明の実施の形態１に係る冷蔵庫１００の引き出し容器１２を取り外す動作状態を示す説明図である。
図６に示すように、引き出し容器１２が最大引出状態となった図５Ｂの状態から、ユーザが引き出し容器１２を図示矢印のように前方斜め上方に持ち上げる。ここで、フック部２２が凸部２１の周囲において上端を０度と定義すると少なくとも０度〜後方側９０度の範囲に円弧形状の内周部２２ａを含み屈曲している。このことから、ユーザが先のように引き出し容器１２を持ち上げると、フック部２２が凸部２１を乗り越え、引き出し容器１２を取り外すことができる。これは、フック部２２の屈曲部分が凸部２１の周囲において上端を０度と定義すると少なくとも０度〜後方側９０度の範囲に円弧形状の内周部２２ａを含み屈曲しているだけであり、０度〜後方側１８０度以上の屈曲量を有していないからである。
この引き出し容器１２を持ち上げてフック部２２を凸部２１から乗り越えさせる際に、傾斜面部３２が第１レール部３１と接触するが、引き出し容器１２の持ち上げの邪魔にならない。つまり、傾斜面部３２の一部が、第１レール部３１と第２レール部３３との間で上方にスライド可能となる。
これにより、ユーザは、引き出し容器１２を簡単に取り外すことができる。
【００３８】
また、ユーザが引き出し容器１２を取り付ける際には、傾斜面部３２を第１レール部３１と第２レール部３３との間に挿入するように水平方向に押し込むと、凸部２１がフック部２２の外周部である後方に形成された前方よりも後方が上方に傾斜した後方傾斜面部２２ｂにガイドされる。そして、引き出し容器１２は、ブロック部３４が第１レール部３１と第２レール部３３との間に入り込みつつ、フック部２２が凸部２１を乗り越えるように持ち上がる。
これにより、ユーザは、引き出し容器１２を簡単に取り付けることができる。
【００３９】
実施の形態２．
実施の形態２では、引掛け部および傾斜保持部の形状が上記実施の形態と異なる。実施の形態２では、その特徴部のみを記載し、その他の部分を省略する。
図７Ａは、本発明の実施の形態２に係る冷蔵庫１００の引き出し容器１２の引き出す前の収納状態を示す説明図である。図７Ｂは、本発明の実施の形態２に係る冷蔵庫１００の引き出し容器１２を引き出したときの最大引出状態を示す説明図である。図７Ｃは、本発明の実施の形態２に係る冷蔵庫１００の引き出し容器１２を引き出した後の傾斜状態を示す説明図である。
図７Ａ〜図７Ｃに示すように、冷蔵庫１００は、引掛け部１２０と、傾斜保持部１３０と、を備えている。
【００４０】
引掛け部１２０は、引き出し容器１２を停止位置まで引き出した最大引出状態とした際に、引き出し容器１２を引っ掛けるものである。
引掛け部１２０は、凸部１２１と、フック部１２２と、を有している。
凸部１２１は、冷蔵室２内の側壁から内側に突出し、円弧形状の外周部を含んだ円形に形成されている。
【００４１】
フック部１２２は、引き出し容器１２の側壁下部から外側に突出すると共に凸部１２１に引っ掛かる。フック部１２２は、凸部１２１の円弧形状の外周部と接触する円弧形状の内周部１２２ａを含んで形成されている。具体的には、フック部１２２は、凸部１２１の周囲において上端を０度と定義すると少なくとも０度〜後方側９０度の範囲に円弧形状の内周部１２２ａを含み屈曲している。
そして、フック部１２２は、少なくとも０度〜後方側９０度の範囲に円弧形状である内周部１２２ａを含んで屈曲した部分の周りの外周部に、フック部１２２の下端と第１レール部１３１の下面の位置までの上端とを有するブロック部１３４が形成されている。
【００４２】
また、引き出し容器１２は、引き出し容器１２の側壁下部から外側に突出すると共に引き出し容器１２を最終収納位置まで収納した際に凸部１２１に当接する当接部１２３を有している。
当接部１２３は、フック部１２２を垂線に対して前後方向で線対称にした形状を有する。
さらに、引き出し容器１２は、引き出し容器１２の側壁下部から外側に突出すると共にフック部１２２と当接部１２３とを直線状につないで凸部１２１に下面をガイドされる直線部１２４を有している。
直線部１２４が凸部１２１にガイドされることにより、引き出し容器１２は、最終収納位置から停止位置まで水平に引き出される。
【００４３】
傾斜保持部１３０は、引掛け部１２０に引っ掛けた引き出し容器１２を基準の姿勢よりも前方を下方に傾けた傾斜状態で保持するものである。
傾斜保持部１３０は、第１レール部１３１と、傾斜面部１３２と、を有している。
第１レール部１３１は、冷蔵室２内の側壁から内側に突出した水平方向に延びる直線状である。
【００４４】
傾斜面部１３２は、引き出し容器１２の側壁から外側に突出すると共にフック部１２２を凸部１２１に引っ掛けた際に引掛け部１２０を回動中心として引き出し容器１２が傾いた傾斜状態で第１レール部１３１の下面１３１ａに当接するものである。傾斜面部１３２は、前方よりも後方が下方に傾斜した斜上方向を向いた面部である。傾斜面部１３２は、引き出し容器１２の側壁奥部かつ下部に形成されている、台形状の部材である。
傾斜面部１３２は、前方よりも後方が下方に傾斜した角度を有し、この傾斜面部１３２が第１レール部１３１の下面１３１ａに接触する角度がそのまま引き出し容器１２の傾斜状態の角度に反映される。このため、傾斜状態の角度は、傾斜面部１３２の傾斜角度によって適宜設定することができる。
【００４５】
そして、冷蔵庫１００は、冷蔵室２内の側壁から内側に突出すると共に第１レール部１３１の下方に並列する水平方向に延びる直線状の第２レール部１３３を有している。第２レール部１３３は、第１レール部１３１よりも前方に延びず、短い。
【００４６】
また、引き出し容器１２は、引き出し容器１２の側壁から外側に突出すると共に引き出し容器１２の移動に伴い第１レール部１３１と第２レール部１３３との間に挟まってガイドされるブロック部１３４を有している。
ブロック部１３４は、フック部１２２の下端と第１レール部１３１の下面１３１ａの位置までの上端とを有し、第１レール部１３１と第２レール部１３３との間に挟まる幅の台形状の部材である。ブロック部１３４は、引き出し容器１２の側壁下部に形成されたフック部１２２、当接部１２３および直線部１２４と一体的に形成されている。ブロック部１３４の上面は、前方よりも後方が下方に傾斜した傾斜上面部１３４ａに形成されている。
ブロック部１３４が第１レール部１３１と第２レール部１３３との間に挟まってガイドされることにより、引き出し容器１２は、最終収納位置から停止位置まで水平に引き出される。
つまり、引き出し容器１２は、直線部１２４が凸部１２１にガイドされることと、ブロック部１３４が第１レール部１３１と第２レール部１３３との間に挟まってガイドされることと、により、前後方向に離れた２箇所をガイドされて姿勢を傾けずに水平方向に引き出すことができる。
【００４７】
引き出し容器１２の側壁には、ブロック部１３４と傾斜面部１３２との間に、縦方向に連通した空間部１３５が形成されている。
空間部１３５は、引き出し容器１２を停止位置まで引き出して更に引き出し容器１２を持ち上げてフック部１２２に凸部１２１を乗り越えさせた後に凸部１２１を上方に通過させるように構成されている。このため、空間部１３５の水平方向の幅は、凸部１２１の直径よりも大きい。
【００４８】
図７Ａに示すように、引き出し容器１２は、冷蔵室２内に収納される収納状態では、直線部１２４の前方端部に形成されている当接部１２３が凸部１２１に接触することと、ブロック部１３４が第１レール部１３１と第２レール部１３３との間に挟まってガイドされた状態であることと、により、冷蔵室２内の奥まで収納される。
【００４９】
図７Ｂに示すように、引き出し容器１２を引き出すと、引き出し容器１２は、直線部１２４が凸部１２１にガイドされることと、ブロック部１３４が第１レール部１３１と第２レール部１３３との間に挟まってガイドされることと、により、前後方向に離れた２箇所をガイドされて姿勢を傾けずに水平方向に引き出される。
【００５０】
そして、引き出し容器１２は、停止位置まで引き出されると、図７Ｂに示すように、フック部１２２が凸部１２１に引っ掛かる。このため、引き出し容器１２は、停止位置よりも前方には引き出せなくなる。このとき、ブロック部１３４は、第１レール部１３１と第２レール部１３３との間から抜き出る。また、ブロック部１３４よりも後方に小型に形成された傾斜面部１３２は、第１レール部１３１と第２レール部１３３との間に存在する。
【００５１】
ブロック部１３４は、第１レール部１３１と第２レール部１３３との間から抜き出ても、引き出し容器１２を収納状態に戻す場合には、ブロック部１３４の傾斜上面部１３４ａの後方が前方よりも下方に傾いて小さく形成されていることから、傾斜面部１３２に連続して第１レール部１３１と第２レール部１３３との間に容易に入り込むことができる。
【００５２】
図７Ｃに示すように、引き出し容器１２が最大引出状態となった図７Ｂの状態から、引き出し容器１２は、自重で引き出し容器１２の前方を下げ始める。具体的には、引き出し容器１２は、引掛け部１２０を回動中心として前方を後方よりも下方に回動させる。
【００５３】
このとき、引掛け部１２０を構成する凸部１２１とフック部１２２とは、凸部１２１の外周部が円弧形状であり、凸部１２１に引っ掛かったフック部１２２の内周部１２２ａも円弧形状であることから、摺動抵抗の少ない状態で回動することができ、耐久性に優れる。
【００５４】
そして、第１レール部１３１と第２レール部１３３との間に入ったままの状態であった傾斜面部１３２は、引き出し容器１２の回動によって第１レール部１３１の下面１３１ａに接触する。
【００５５】
以上によって、引き出し容器１２の前方を下方に傾けた傾斜状態が達成される。
すなわち、引き出し容器１２の傾斜状態は、フック部１２２が凸部１２１に引っ掛かって、傾斜面部１３２が第１レール部１３１の下面１３１ａに接触することで、その状態が保持できる。
このように、引掛け部１２０および傾斜保持部１３０を備えるだけで、引き出し容器１２または冷蔵室２内の形状を複雑にすることなく、簡易な構成で引き出し容器１２を傾斜状態で保持することができる。
【００５６】
図８Ａは、本発明の実施の形態２に係る冷蔵庫１００の引き出し容器１２を第１方法で取り外す第１動作状態を示す説明図である。図８Ｂは、本発明の実施の形態２に係る冷蔵庫１００の引き出し容器１２を第１方法で取り外す第２動作状態を示す説明図である。
図８Ａに示すように、引き出し容器１２が最大引出状態となった図７Ｂの状態から、ユーザが引き出し容器１２を上方に持ち上げる。ここで、フック部１２２が凸部１２１の周囲において上端を０度と定義すると少なくとも０度〜後方側９０度の範囲に円弧形状の内周部１２２ａを含み屈曲している。このことから、先のように引き出し容器１２を持ち上げると、フック部１２２が凸部１２１を乗り越える。これは、フック部１２２の屈曲部分が凸部１２１の周囲において上端を０度と定義すると少なくとも０度〜後方側９０度の範囲に円弧形状の内周部１２２ａを含み屈曲しているだけであり、０度〜後方側１８０度以上の屈曲量を有していないからである。
この引き出し容器１２を持ち上げてフック部１２２を凸部１２１から乗り越えさせる際に、傾斜面部１３２と第１レール部１３１とが離間しており、引き出し容器１２の持ち上げの邪魔にならない。つまり、傾斜面部１３２が、第１レール部１３１と第２レール部１３３との間で上方にスライド可能となる。
【００５７】
図８Ｂに示すように、フック部１２２に凸部１２１を乗り越えさせる図８Ａの状態から、ユーザが引き出し容器１２を正面側に水平方向に引き出すことにより、引き出し容器１２を取り外せる。このとき、傾斜面部１３２は、第１レール部１３１と第２レール部１３３との間から抜け出る。
ここで、この第１方法では、引き出し容器１２は、正面側に引出量Ｘ１以上引き出す必要が生じる。
これにより、ユーザは、引き出し容器１２を簡単に取り外すことができる。
【００５８】
図９Ａは、本発明の実施の形態２に係る冷蔵庫１００の引き出し容器１２を第２方法で取り外す第１動作状態を示す説明図である。図９Ｂは、本発明の実施の形態２に係る冷蔵庫１００の引き出し容器１２を第２方法で取り外す第２動作状態を示す説明図である。図９Ｃは、本発明の実施の形態２に係る冷蔵庫１００の引き出し容器１２を第２方法で取り外す第３動作状態を示す説明図である。図９Ｄは、本発明の実施の形態２に係る冷蔵庫１００の引き出し容器１２を第２方法で取り外す第４動作状態を示す説明図である。
図９Ａに示すように、引き出し容器１２が最大引出状態となった図７Ｂの状態から、ユーザが引き出し容器１２を上方に持ち上げてフック部１２２に凸部１２１を乗り越えさせる。その後、図示矢印のように、空間部１３５が凸部１２１を通過するよう引き出し容器１２を下方に移動させる。
これにより、図９Ｂに示すように、引き出し容器１２の空間部１３５が凸部１２１を通過していく。
【００５９】
図９Ｃに示すように、引き出し容器１２の空間部１３５が凸部１２１を通過した後、ユーザは、引き出し容器１２を図示矢印のように前方側を下方に回動させる。
図９Ｄに示すように、ユーザは、引き出し容器１２の前方側を下方に傾けて取り外す。
ここで、引き出し容器１２は、正面側に引出量Ｘ２だけ引き出して取り外せる。
これによると、ユーザが冷蔵室扉８を９０度開いた状態で、冷蔵室扉８の内側に設けられた収納ケース９ａに衝突させないで引き出し容器１２を取り外すことができる。
このように、第２方法では、引き出し容器１２の引出量Ｘ２が第１方法の引出量Ｘ１よりも少なくて済み、狭いスペースでも引き出し容器１２を取り外すことができる。
【００６０】
以上の実施の形態１、２によると、引掛け部２０、１２０は、凸部２１、１２１と、フック部２２、１２２と、を有し、傾斜保持部３０、１３０は、第１レール部３１、１３１と、傾斜面部３２、１３２と、を有する。この構成によれば、ユーザが使用する引き出し容器１２が傾いた傾斜状態では、フック部２２、１２２が凸部２１、１２１に引っ掛かり引き出し容器１２が外れ難い。また、引き出し容器１２の着脱のときには、フック部２２、１２２が凸部２１、１２１に引っ掛からなくするだけでよく、引き出し容器１２の着脱を容易に行える。
また、引き出した引き出し容器１２が傾いた傾斜状態は、引掛け部２０、１２０および傾斜保持部３０、１３０の構成で達成することができ、簡易な構成で引き出し容器１２を傾斜状態に保持することができる。
したがって、ユーザが使用するときには引き出し容器１２が外れ難く、引き出し容器１２の着脱は容易に行える簡易な構成の冷蔵庫１００を提供することができる。
【００６１】
凸部２１、１２１は、円弧形状の外周部を含み、フック部２２、１２２は、凸部２１、１２１の円弧形状の外周部と接触する円弧形状の内周部２２ａ、１２２ａを含む。この構成によれば、傾斜状態に引き出し容器１２を傾ける回動中心となる引掛け部２０、１２０の凸部２１、１２１およびフック部２２、１２２は、引っ掛かり状態で摺動抵抗を少なく回動することができ、耐久性が向上する。
【００６２】
フック部２２、１２２は、凸部２１、１２１の周囲において上端を０度と定義すると少なくとも０度〜後方側９０度の範囲に円弧形状の内周部２２ａ、１２２ａを含む。この構成によれば、ユーザが使用するときにはフック部２２、１２２が凸部２１、１２１に引っ掛かり、引き出し容器１２が外れ難い。また、引き出し容器１２の着脱は、フック部２２、１２２が凸部２１、１２１を乗り越え易く容易に行える。
【００６３】
フック部２２は、内周部２２ａを含む部分の周りの外周部に前方よりも後方が上方に傾斜した後方傾斜面部２２ｂを含む。この構成によれば、ユーザが引き出し容器１２を取り付ける際に、凸部２１がフック部２２の外周部に形成された前方よりも後方が上方に傾斜した後方傾斜面部２２ｂにガイドされる。これにより、フック部２２が凸部２１を乗り越えるように持ち上がり、ユーザは、引き出し容器１２を簡単に取り付けることができる。
【００６４】
引き出し容器１２の側壁から外側に突出すると共に引き出し容器１２を最終収納位置まで収納した際に凸部２１、１２１に当接する当接部２３、１２３を有している。この構成によれば、引き出し容器１２は、冷蔵室２内に収納される収納状態で当接部２３、１２３に凸部２１、１２１に接触して位置が規定される。
【００６５】
引き出し容器１２の側壁から外側に突出すると共にフック部２２、１２２と当接部２３、１２３とを直線状につないで凸部２１、１２１に下面をガイドされる直線部２４、１２４を有する。この構成によれば、直線部２４、１２４が凸部２１、１２１にガイドされて、引き出し容器１２が姿勢を傾けずに水平方向に引き出される。
【００６６】
第１レール部３１、１３１の下方に並列する直線状の第２レール部３３、１３３と、第１レール部３１、１３１と第２レール部３３、１３３との間に挟まってガイドされるブロック部３４、１３４と、を有している。この構成によれば、ブロック部３４、１３４が第１レール部３１、１３１と第２レール部３３、１３３との間に挟まってガイドされて、引き出し容器１２が姿勢を傾けずに水平方向に引き出される。
【００６７】
傾斜面部３２は、ブロック部３４の後端に形成されている。この構成によれば、傾斜面部３２およびブロック部３４を一体的に形成することができ、簡易な構成となる。
【００６８】
引き出し容器１２の側壁には、ブロック部１３４と傾斜面部１３２との間に、空間部１３５が形成されている。この構成によれば、空間部１３５は、引き出し容器１２を停止位置まで引き出して更に引き出し容器１２を持ち上げてフック部１２２に凸部１２１を乗り越えさせた後に凸部１２１を上方に通過させることができる。これにより、ユーザは、引き出し容器１２の引出量Ｘ２で引き出し容器１２の前方側を下方に傾けて取り外すことができる。したがって、引き出し容器１２の引出量Ｘ２が少なくて済み、狭いスペースでも引き出し容器１２を取り外すことができる。これによると、ユーザが冷蔵室扉８を９０度開いた状態で、冷蔵室扉８の内側に設けられた収納ケース９ａに衝突させないで引き出し容器１２を取り外すことができる。
【００６９】
なお、本発明は、引き出し容器を冷蔵庫の他の部分に適用してもよい。また、本発明を適用する冷蔵庫も２ドア式のものに限られない。
【符号の説明】
【００７０】
１  冷凍室、２  冷蔵室、３  冷蔵庫本体、４  仕切り、５  冷凍室扉、６ａ  収納ケース、６ｂ  収納ケース、７  棚、８  冷蔵室扉、９ａ  収納ケース、９ｂ  収納ケース、９ｃ  収納ケース、１０ａ  棚、１０ｂ  棚、１１  引き出し容器、１２  引き出し容器、２０  引掛け部、２１  凸部、２２  フック部、２２ａ  内周部、２２ｂ  後方傾斜面部、２３  当接部、２４  直線部、３０  傾斜保持部、３１  第１レール部、３１ａ  下面、３２  傾斜面部、３３  第２レール部、３４  ブロック部、１００  冷蔵庫、１２０  引掛け部、１２１  凸部、１２２  フック部、１２２ａ  内周部、１２３  当接部、１２４  直線部、１３０  傾斜保持部、１３１  第１レール部、１３１ａ  下面、１３２  傾斜面部、１３３  第２レール部、１３４  ブロック部、１３４ａ  傾斜上面部、１３５  空間部。
【図１】
2017068641.tif 000003
【図２】
2017068641.tif 000004
【図３】
2017068641.tif 000005
【図４Ａ】
2017068641.tif 000006
【図４Ｂ】
2017068641.tif 000007
【図５Ａ】
2017068641.tif 000008
【図５Ｂ】
2017068641.tif 000009
【図５Ｃ】
2017068641.tif 000010
【図６】
2017068641.tif 000011
【図７Ａ】
2017068641.tif 000012
【図７Ｂ】
2017068641.tif 000013
【図７Ｃ】
2017068641.tif 000014
【図８Ａ】
2017068641.tif 000015
【図８Ｂ】
2017068641.tif 000016
【図９Ａ】
2017068641.tif 000017
【図９Ｂ】
2017068641.tif 000018
【図９Ｃ】
2017068641.tif 000019
【図９Ｄ】
2017068641.tif 000020
【手続補正書】
【提出日】平成30年1月16日(2018.1.16)
【手続補正１】
【補正対象書類名】明細書
【補正対象項目名】００１０
【補正方法】変更
【補正の内容】
【００１０】
本発明に係る冷蔵庫は、貯蔵室内に配置されて前方へ引き出し可能な容器と、前記容器を最大引出状態の停止位置まで引き出した際に、前記容器を引っ掛ける引掛け部と、前記引掛け部に引っ掛けた前記容器を基準の姿勢よりも前方を下方に傾けた傾斜状態で保持する傾斜保持部と、を備え、前記引掛け部は、前記貯蔵室内の側壁から内側に突出した凸部と、前記容器の側壁から外側に突出すると共に前記凸部に引っ掛かるフック部と、を有し、前記傾斜保持部は、前記貯蔵室内の側壁から内側に突出した直線状の第１レール部と、前記容器の側壁から外側に突出すると共に前記フック部を前記凸部に引っ掛けた際に前記引掛け部を回動中心として前記容器が傾いた前記傾斜状態で前記第１レール部の下面に当接する、前方よりも後方が下方に傾斜した傾斜面部と、を有し、前記凸部は、円弧形状の外周部を含み、前記フック部は、前記凸部の円弧形状の外周部と接触する内周部であって、前記凸部の周囲において上端を０度と定義すると少なくとも０度〜後方側９０度の範囲に円弧形状の前記内周部を含み、前記フック部は、前記凸部の周囲において上端を０度と定義すると少なくとも０度〜後方側９０度の範囲に円弧形状の前記内周部を含む部分の周りの外周部にて、当該内周部の後方に形成されて前方よりも後方が上方に傾斜した後方傾斜面部を含むものである。
【手続補正２】
【補正対象書類名】特許請求の範囲
【補正対象項目名】全文
【補正方法】変更
【補正の内容】
【特許請求の範囲】
【請求項１】
貯蔵室内に配置されて前方へ引き出し可能な容器と、
前記容器を最大引出状態の停止位置まで引き出した際に、前記容器を引っ掛ける引掛け部と、
前記引掛け部に引っ掛けた前記容器を基準の姿勢よりも前方を下方に傾けた傾斜状態で保持する傾斜保持部と、
を備え、
前記引掛け部は、前記貯蔵室内の側壁から内側に突出した凸部と、前記容器の側壁から外側に突出すると共に前記凸部に引っ掛かるフック部と、を有し、
前記傾斜保持部は、前記貯蔵室内の側壁から内側に突出した直線状の第１レール部と、前記容器の側壁から外側に突出すると共に前記フック部を前記凸部に引っ掛けた際に前記引掛け部を回動中心として前記容器が傾いた前記傾斜状態で前記第１レール部の下面に当接する、前方よりも後方が下方に傾斜した傾斜面部と、を有し、
前記凸部は、円弧形状の外周部を含み、
前記フック部は、前記凸部の円弧形状の外周部と接触する内周部であって、前記凸部の周囲において上端を０度と定義すると少なくとも０度〜後方側９０度の範囲に円弧形状の前記内周部を含み、
前記フック部は、前記凸部の周囲において上端を０度と定義すると少なくとも０度〜後方側９０度の範囲に円弧形状の前記内周部を含む部分の周りの外周部にて、当該内周部の後方に形成されて前方よりも後方が上方に傾斜した後方傾斜面部を含む冷蔵庫。
【請求項２】
前記容器の側壁から外側に突出すると共に前記容器を最終収納位置まで収納した際に前記凸部に当接する当接部を有する請求項１に記載の冷蔵庫。
【請求項３】
前記容器の側壁から外側に突出すると共に前記フック部と前記当接部とを直線状につないで前記凸部にガイドされる直線部を有する請求項２に記載の冷蔵庫。
【請求項４】
前記貯蔵室内の側壁から内側に突出すると共に前記第１レール部の下方に並列する直線状の第２レール部と、前記容器の側壁から外側に突出すると共に前記容器の移動に伴い前記第１レール部と前記第２レール部との間に挟まってガイドされるブロック部と、を有する請求項１〜３のいずれか１項に記載の冷蔵庫。
【請求項５】
前記傾斜面部は、前記ブロック部の後端に形成された請求項４に記載の冷蔵庫。
【請求項６】
前記容器の側壁には、前記ブロック部と前記傾斜面部との間に、前記容器を停止位置まで引き出して更に前記容器を持ち上げて前記フック部に前記凸部を乗り越えさせた後に前記凸部を上方に通過させる空間部が形成された請求項４に記載の冷蔵庫。
【国際調査報告】
2017068641.tif 000021
2017068641.tif 000022
2017068641.tif 000023
2017068641.tif 000024